(57)【要約】【課題】施工性の向上を図ることができる取付金具及び取付構造を提供する。【解決手段】  取付金具１は、パネル９に固定される段付き金具２と、段付き金具２と協働して定規アングル１０を挟持する金具保持部３とを備える。段付き金具２は、パネル９に当接する当接片２１、金具保持部３の内部に差し込まれた差込片２２、段差連結部２３を有する。段付き金具２は、水平方向及び上下方向において所定の遊びをもって突起部５，６及び爪部７，８により規制されている。当接片２１をパネル９に締結固定するに伴い、差込片２２が切り欠き４６，４７に差し込まれる定規アングル１０に当接し、定規アングル１０を切り欠き４６，４７を形成する第１側壁４６ａ，４７ａに押し付ける。【選択図】  図１
2010216094.tif 000002
【特許請求の範囲】
【請求項１】
構造部材及び二次部材の少なくとも一方に取り付けられた下地材に建築用のパネルを取り付けるための取付金具であって、
前記パネルに固定される段付き金具と、
前記段付き金具と協働して前記下地材を挟持する金具保持部とを備え、
前記段付き金具は、前記パネルに当接する当接片と、前記金具保持部の内部に差し込まれる差込片と、前記当接片及び前記差込片を連結する段差連結部とを有し、
前記金具保持部は、前記差込片を受け入れる筐体部と、前記段付き金具の離脱を規制する離脱規制部とを有することを特徴とする取付金具。
【請求項２】
前記筐体部は、前記差込片と対面する本体部と、前記差込片の両側の側縁に沿って延在する一対の側板部とを有し、
前記一対の側板部のそれぞれには、前記下地材が差し込まれる切り欠きが形成されていることを特徴とする請求項１に記載の取付金具。
【請求項３】
前記離脱規制部は、前記本体部又は前記側板部から前記当接片側に張り出して前記段差連結部の一方の面に干渉する爪部と、前記一対の側板部から内側に突出して前記段差連結部の他方の面に干渉する一対の突起部とを有することを特徴とする請求項１または２に記載の取付金具。
【請求項４】
前記当接片は、締結部材によって前記パネルに締結固定されており、
前記差込片は、前記締結部材の締め付け方向に所定の遊びをもって前記離脱規制部により規制されており、
前記当接片を前記パネルに締結固定するに伴い、前記差込片は、前記切り欠き部に差し込まれる前記下地材に当接して、前記下地材を前記切り欠きを形成する側壁に押し付けることを特徴とする請求項１〜３のいずれか一項に記載の取付金具。
【請求項５】
前記差込片は、その差し込み方向に所定の遊びをもって前記離脱規制部により規制されていることを特徴とする請求項１〜４のいずれか一項に記載の取付金具。
【請求項６】
前記差込片における前記下地材に当接する部分と前記切り欠きを形成する側壁との少なくとも一方には、滑り止め部が設けられていることを特徴とする請求項４または５に記載の取付金具。
【請求項７】
前記下地材の厚さをＬ１とし、
前記筐体部における前記パネルと当接する平面から、前記切り欠きを形成する側壁のうち前記パネルに近い側壁までの距離をＬ２とし、
前記当接片の前記パネルと当接する当接面から、前記差込片における前記下地材と当接する平面までの距離をＬ３としたときに、
（Ｌ１＋Ｌ２）＞Ｌ３なる関係式を満たすことを特徴とする請求項２〜６のいずれか一項に記載の取付金具。
【請求項８】
請求項１〜７のいずれかに記載の取付金具を用いて建築用のパネルを下地材に取り付ける取付構造であって、
前記段付き金具及び前記金具保持部は、前記パネルに当接され、
前記段付き金具の前記当接片は、前記パネルに固定され、
前記下地材は、前記切り欠きに差し込まれ、前記差込片によって前記切り欠きを形成する側壁に押し付けられていることを特徴とする取付構造。
【発明の詳細な説明】
【技術分野】
【０００１】
本発明は、構造部材及び二次部材の少なくとも一方に固定された定規アングルなどの下地材に建築用のパネルを取り付けるための取付金具及び取付構造に関するものである。
【背景技術】
【０００２】
従来、ビル等の梁に複数の中空状壁パネル（例えば、押出成形セメント板）を縦張りにして建て込むときは、先ず、床スラブ側梁部材の上部にピース定規アングルを介して、通し定規アングルを水平方向に取り付ける。その後、通し定規アングルの水平部に押出成形セメント板を配置し、通し定規アングルの鉛直部を段付き取付金具であるＺクリップの下部で挟むと共に、Ｚクリップの中間傾斜部または下部などを通し定規アングルの鉛直部に溶接し、Ｚクリップの上部を押出成形セメント板にボルトで締め付けて固定している。しかしながら、この場合には、Ｚクリップの回転による脱落を防止するためにＺクリップを通し定規アングルに溶接する作業が必要であるので、施工に時間がかかる問題があった。
【０００３】
上記の問題点を解決するため、様々な試みが行われている。例えば、特開２００３−９６９１５号公報に記載されているように、通し定規アングルを挟持する定規アングル挟持部と、Ｚクリップを保持するＺクリップ保持部とを備えたＺクリップ回転防止金具が知られている。この回転防止金具によれば、Ｚクリップを通し定規アングルに溶接する作業を省くことができ、施工時間の短縮を図ることが可能となる。
【先行技術文献】
【特許文献】
【０００４】
【特許文献１】特開２００３−９６９１５号公報
【発明の概要】
【発明が解決しようとする課題】
【０００５】
しかしながら、前述の特許文献１の発明にあっては、壁パネルの建て込みときに、壁パネルに仮止めされたＺクリップと、通し定規アングルに装着された回転防止金具との位置合わせ作業が必要であるため、施工時間の短縮を図り難い。また、Ｚクリップと回転防止金具との２種類の部品を取り扱う必要性があるので、部品管理が煩雑であり、施工性を向上することができない。
【０００６】
本発明は、このような技術課題を解決するためになされたものであって、施工性の向上を図ることができる取付金具及び取付構造を提供することを目的とする。
【課題を解決するための手段】
【０００７】
本発明に係る取付金具は、構造部材及び二次部材の少なくとも一方に取り付けられた下地材に建築用のパネルを取り付けるための取付金具であって、パネルに固定される段付き金具と、段付き金具と協働して下地材を挟持する金具保持部とを備え、段付き金具は、パネルに当接する当接片と、金具保持部の内部に差し込まれる差込片と、当接片及び差込片を連結する段差連結部とを有し、金具保持部は、差込片を受け入れる筐体部と、段付き金具の離脱を規制する離脱規制部とを有することを特徴とする。
【０００８】
本発明に係る取付金具では、段付き金具の差込片が金具保持部の内部に差し込まれ、段付き金具が離脱規制部によって規制されているので、段付き金具と金具保持部とは一体化される。このため、段付き金具及び金具保持部は一つの部品として取り扱うことが可能となる。従って、段付き金具の当接片をパネルに固定させることにより、段付き金具と金具保持部が協働して下地材を挟持し、パネルを容易に取り付けることができるので、施工性の向上を図ることが可能となる。
【０００９】
本発明に係る取付金具において、筐体部は、差込片と対面する本体部と、差込片の両側の側縁に沿って延在する一対の側板部とを有し、一対の側板部のそれぞれには、下地材が差し込まれる切り欠きが形成されていると好適である。
【００１０】
このようにすれば、本体部と側板部とが差込片の位置を規制し、差込片の回転や位置ずれを防止することができる。パネルに台風や地震などの外力が作用したとき、パネルに固定された段付き金具のパネル面外方向の回転変位やパネル面内方向の変位を、差込片が金具保持部に当接して防止することができる。また、切り欠きを形成するので、その内部に差し込まれる下地材を挟持することができる。
【００１１】
本発明に係る取付金具において、離脱規制部は、本体部又は側板部から当接片側に張り出して段差連結部の一方の面に干渉する爪部と、一対の側板部から内側に突出して段差連結部の他方の面に干渉する一対の突起部とを有すると好適である。
【００１２】
この場合、本体部又は側板部から張り出した爪部が段差連結部の一方の面に干渉し、側板部に設けられた突起部が段差連結部の他方の面に干渉することによって、段付き金具と金具保持部とは一体化される。従って、段付き金具及び金具保持部は一つの部品として取り扱うことができ、部品管理が容易になり、施工性の向上を図り易くなる。
【００１３】
本発明に係る取付金具において、当接片は、締結部材によってパネルに締結固定されており、差込片は、締結部材の締め付け方向に所定の遊びをもって離脱規制部により規制されており、当接片をパネルに締結固定するに伴い、差込片は、切り欠き部に差し込まれる下地材に当接して、下地材を切り欠きを形成する側壁に押し付けると好適である。
【００１４】
この場合、差込片が、締結部材の締め付け方向に所定の遊びをもっているので、その遊び範囲で移動することが可能である。このため、下地材を切り欠きに差し込む際に、干渉による下地材の差し込みを邪魔することがなく、下地材を容易に切り欠きに挿入することができる。また、当接片をパネルに締結固定するに伴い、この差込片は、下地材に当接して下地材を切り欠きを形成する側壁に押し付けるので、金具保持部と協働して下地材を確実に挟持することができる。
【００１５】
本発明に係る取付金具において、差込片は、その差し込み方向に所定の遊びをもって離脱規制部により規制されていると好適である。
【００１６】
このようにすれば、所定の遊び範囲内で施工誤差を調整しながら施工することができ、施工効率をアップすることができる。また、例えば台風や地震によるパネルの変形、日射によるパネルの熱変形に対して、パネルがこの遊び範囲内で移動変位できるので、パネルの損傷を防止することが可能となる。
【００１７】
本発明に係る取付金具において、差込片における下地材に当接する部分と切り欠きを形成する側壁との少なくとも一方には、滑り止め部が設けられていると好適である。
【００１８】
このようにすれば、下地材を確実に挟持することができ、下地材の位置ズレの発生を抑制することができる。
【００１９】
本発明に係る取付金具において、下地材の厚さをＬ１とし、筐体部におけるパネルと当接する平面から、切り欠きを形成する側壁のうちパネルに近い側壁までの距離をＬ２とし、当接片のパネルと当接する当接面から、差込片における下地材と当接する平面までの距離をＬ３としたときに、（Ｌ１＋Ｌ２）＞Ｌ３なる関係式を満たすと好適である。
【００２０】
このようにすれば、段付き金具と金具保持部との協働によって、下地材を確実に挟持することができる。
【００２１】
本発明に係る取付構造は、上述の取付金具を用いて建築用のパネルを下地材に取り付ける取付構造であって、段付き金具及び金具保持部は、パネルに当接され、段付き金具の当接片は、パネルに固定され、下地材は、切り欠きに差し込まれ、差込片によって切り欠きを形成する側壁に押し付けられていることを特徴とする。
【００２２】
本発明に係る取付構造では、段付き金具と金具保持部とを一体的に結合する取付金具を用いてパネルを下地材に取り付けるため、従来と比べて部品管理が容易になり、施工効率をアップすることができる。その結果、施工性の向上を図り易くなる。
【発明の効果】
【００２３】
本発明によれば、施工性の向上を図ることができる取付金具及び取付構造を提供することができる。
【図面の簡単な説明】
【００２４】
【図１】本実施形態に係る取付金具を示す斜視図である。
【図２】本実施形態に係る取付金具を示す斜視図である。
【図３】段付き金具を示す斜視図である。
【図４】金具保持部を示す斜視図である。
【図５】金具保持部を示す斜視図である。
【図６】組み立てられた状態における段付き金具と金具保持部との位置関係を示す断面図である。
【図７】組み立てられた状態における段付き金具と金具保持部との位置関係を示す断面図である。
【図８】組み立てられた状態における段付き金具と金具保持部との位置関係を示す断面図である。
【図９】取付金具と定規アングルとの寸法関係を示す図である。
【図１０】取付金具を用いて建築パネルを定規アングルに取り付ける作業を示す図である。
【図１１】取付金具を用いて建築パネルをＨ形鋼に取り付ける場合の取付構造を示す断面図である。
【発明を実施するための形態】
【００２５】
以下、図面を参照して本発明に係る取付金具及びその取付構造の実施形態を説明する。なお、説明において同一の構成要素には同一の符号を付し、重複する説明を省略する。
【００２６】
図１及び図２は、本実施形態に係る取付金具を示す斜視図である。この取付金具１は、建築用のパネルを定規アングル（下地材）に取り付けるためのものであり、略箱状に形成された金具保持部３、一端が金具保持部３内に差し込まれ他端が金具保持部３から突き出した長尺状の段付き金具２を備えている。
【００２７】
図３は段付き金具を示す斜視図である。図３に示すように、段付き金具２は、一枚の金属製の平板を折り曲げることによって稲妻状に成形されている。この段付き金具２は、建築用のパネルに取り付ける際にパネルに当接する当接片２１と、金具保持部３の内部に差し込まれた差込片２２と、当接片２１及び差込片２２を連結する段差連結部２３とを有する。
【００２８】
当接片２１と差込片２２とは、互いに平行している。当接片２１の中央には、ボルトを挿入するための貫通穴２４が形成されている。この貫通穴２４は、段付き金具２の長さ方向にそって縦長の楕円形状に加工されている。段差連結部２３は、所定の角度をもって傾斜している。
【００２９】
図４及び図５は金具保持部を示す斜視図である。金具保持部３は、段付き金具２の差込片２２を受け入れる筐体部４を備えている。筐体部４は、一枚の金属製の平板を所定の形状に打ち抜き加工した後、その平板を断面Ｃ字状に折り曲げにより成形されている。具体的には、筐体部４は、差込片２２と対面する本体部４１と、本体部４１の両端から本体部４１に対して直交に延びる一対の側板部４２，４３と、側板部４２，４３の端部から側板部４２，４３に対して直交に延在する一対のパネル当接部４４，４５とから構成されている。
【００３０】
パネル当接部４４，４５は、取付金具１を建築用のパネルに取り付ける際にパネルに当接する部分であり、その剛性を高めるため先端部がＶ字状に曲げ加工されている。側板部４２，４３には、定規アングルを差し込むための切り欠き４６，４７が形成されている。この切り欠き４６，４７は、側板部４２，４３の下端から上方に向かって延在している。
【００３１】
切り欠き４６，４７を形成する側壁のうち、パネル当接部４４，４５に近い第１側壁４６ａ，４７ａには、鋸状に加工された滑り止め部Ｓが設けられている。一方、第１側壁４６ａ，４７ａに対向する第２側壁４６ｂ，４７ｂには、滑り止め部が設けられていない。また、切り欠き４６，４７に定規アングルを挿入し易くするため、第１側壁４６ａ，４７ａの先端部は、第２側壁４６ｂ，４７ｂとの間隔を広げるようにテーパ状に形成されている。
【００３２】
側板部４２，４３には、内側に突出する一対の突起部（離脱規制部）５，６が設けられている。この一対の突起部５，６は、同じ位置に配置され、互いに対向している。また、金具保持部３は、本体部４１から当接片２１側（上方）に張り出す２つの爪部７，８が設けられている。爪部７，８は、筐体部４の内側に傾斜している。
【００３３】
図６〜図８は、組み立てられた状態における段付き金具と金具保持部との位置関係を示す断面図である。図６（ａ）に示すように、上下方向（差込片２２の差し込み方向）において、段付き金具２は所定の遊びをもって突起部６及び爪部８により規制されている。具体的には、段付き金具２を上方に持ち上げると、段差連結部２３の上面２３ａが爪部８に干渉することになる（実線部分）。一方、段付き金具２を下方に押すと、段差連結部２３の下面２３ｂが突起部６に干渉することになる（２点鎖線部分）。
【００３４】
図６（ｂ）に示すように、左右方向（ボルトの締め付け方向）において、段付き金具２は所定の遊びをもって突起部６及び本体部（離脱規制部）４１により規制されている。すなわち、段付き金具２を右側に移動すると、差込片２２が本体部４１の内壁面に干渉することになる（実線部分）。一方、段付き金具２を左側に移動すると、差込片２２が突起部６と干渉することになる（２点鎖線部分）。
【００３５】
また、図７（ａ）に示すように、外力を受けない状態では、自重によって段付き金具２の段差連結部２３が突起部６に接触し、下面２３ｂが突起部６と干渉することになる。このとき、段付き金具２が突起部６を支点として矢印に示す方向（面外方向）に回転しようとする動きが生じるので、差込片２２の下端部が本体部４１の内壁面と接触し、その回転の動きが本体部４１によって阻止される（図７（ｂ））。
【００３６】
上記の説明において、段差連結部２３の下面２３ｂが突起部６と干渉することを想定して行ったが、下面２３ｂがパネル当接部４４，４５の上端面に干渉することもある。具体的には、図８（ａ）に示すように、突起部６が図６及び図７よりも切り欠き４７に近い側に配置された場合、段差連結部２３の下面２３ｂが突起部６と接触する前に、先にパネル当接部４５の上端面４５ａに接触することになる。
【００３７】
このとき、段付き金具２が上端面４５ａとの接触箇所を支点として矢印に示す方向（面外方向）に回転しようとする動きが生じ、差込片２２の下端部が本体部４１の内壁面と接触し、回転の動きが本体部４１によって阻止される（図８（ｂ））。
【００３８】
このように構成された取付金具１では、段付き金具２が上下方向及び水平方向において所定の範囲で移動自在に設けられると共に、金具保持部３から抜け出すことができない構造となるので、段付き金具２と金具保持部３とは一体化される。
【００３９】
図９取付金具と定規アングルとの寸法関係を示す図である。図９に示すように、定規アングル１０の板厚をＬ１とし、パネル当接部４５におけるパネルと当接する当接面４５ｂから第１側壁４７ａ側壁までの距離をＬ２とし、当接片２１のパネルと当接する当接面２１ａから差込片２２における定規アングル１０と当接する平面２２ａまでの距離をＬ３としたときに、（Ｌ１＋Ｌ２）＞Ｌ３なる関係式を満たす。
【００４０】
以下、図１０を参照して取付金具１を用いて建築のパネルを定規アングルに取り付ける作業について説明する。
【００４１】
図１０（ａ）に示すように、まず、取付金具１の当接片２１をパネル９に当接させ、貫通穴２４にポルトを挿入して、ボルト締めで取付金具１をパネル９に仮止めする。次に、Ｌ字状の定規アングル１０を切り欠き４７に差し込む。このとき、段付き金具２は所定の遊びで金具保持部３に保持されているので、差込片２２と定規アングル１０との干渉を生じない。これによって、定規アングル１０をスムーズに切り欠き４７に差し込むことが可能となる。
【００４２】
続いて、ポルトで当接片２１をパネル９に締結固定させる。このとき、ボルトの締め付けによりパネル９が引き寄せられ、パネル９がパネル当接部４５の当接面４５ｂと当接する。そして、差込片２２がパネル９に接近し、差込片２２の平面２２ａが切り欠き４７に差し込まれた定規アングル１０に当接し、定規アングル１０を第１側壁４７ａに押し付けることになる（図１０（ｂ））。このように段付き金具２と金具保持部３との協働によって、定規アングル１０が固く挟持される。
【００４３】
本実施形態に係る取付金具１によれば、段付き金具２がその差込片２２が金具保持部３の内部に差し込まれ、突起部５，６及び爪部７，８によって規制されているので、段付き金具２と金具保持部３とは一体化される。このため、段付き金具２及び金具保持部３は一つの部品として取り扱うことが可能となり、部品管理が容易になり、施工性の向上を図ることが可能となる。
【００４４】
しかも、差込片２２が水平方向及び上下方向において所定の遊びをもっているので、その遊び範囲で移動することが可能である。このため、定規アングル１０を切り欠き４６，４７に差し込む際に、差込片２２と定規アングル１０との干渉が生じずに、定規アングル１０を容易に切り欠き４６，４７に挿入することができる。また、当接片２１をパネル９に締結固定するに伴い、差込片２２は、定規アングル１０に当接して定規アングル１０を切り欠き４６，４７を形成する第１側壁４６ａ，４７ａに押し付けるので、金具保持部３と協働して定規アングル１０を確実に挟持することができる。
【００４５】
更に、差込片２２が上下方向に所定の遊びをもっているので、所定の遊び範囲内で施工誤差を調整しながら施工することが可能となり、施工効率をアップすることができる。また、例えば台風や地震によるパネル９の変形、日射によるパネル９の熱変形に対して、パネル９がこの遊び範囲内で移動変位できるので、パネル９の損傷を防止する効果をもたらす。
【００４６】
更に、切り欠き４６，４７を形成する第１側壁４６ａ，４７ａには、滑り止め部Ｓが設けられているので、定規アングル１０を確実に挟持することができ、定規アングル１０の位置ズレの発生を確実に抑制することができる。
【００４７】
上述した実施形態は本発明に係る取付金具及びその取付構造の一例を説明したものであり、本発明に係る取付金具及びその取付構造は実施形態に記載したものに限定されるものではない。本発明に係る取付金具及びその取付構造は、各請求項に記載した要旨を変更しないように実施形態に係る取付金具及びその取付構造を変形し、又は他のものに適用したものであってもよい。
【００４８】
例えば、上述の実施形態では、下地材として定規アングルの例を挙げて説明したが、下地材は定規アングルに限らず、Ｈ形鋼等でもよい。例えば図１１に示すように、Ｈ型鋼からなる間柱１１にパネル１２を取り付ける際に、２つの取付金具１を用いて間柱１１のフランジ部１１ａ，１１ｂをそれぞれ挟持してパネル１２に固定させる。また、上記の実施形態では段付き金具は平板を曲げ加工したものであるが、リブ補強されたもので差し支えない。更に、上記の実施形態では、パネルは押出成形セメント板であるが、軽量気泡コンクリートパネルにも使用可能である。
【００４９】
また、上記の実施形態において、滑り止め部Ｓとして鋸状に加工されたものとしたが、例えば第１側壁４６ａ，４７ａにゴム材料を貼り付けることとしてもよい。また、差込片２２における定規アングル１０と当接する平面２２ａに滑り止め部Ｓを設けてもよい。
【符号の説明】
【００５０】
１…取付金具、２…段付き金具、３…金具保持部、４…筐体部、５，６…突起部（離脱規制部）、７，８…爪部（離脱規制部）、９，１２…パネル、１０…定規アングル（下地材）、１１…間柱（下地材）、２１…当接片、２２…差込片、２３…段差連結部、２３ａ…上面、２３ｂ…下面、４１…本体部（離脱規制部）、４２，４３…側板部、４６，４７…切り欠き、Ｓ…滑り止め部、
【図１】
2010216094.tif 000003
【図２】
2010216094.tif 000004
【図３】
2010216094.tif 000005
【図４】
2010216094.tif 000006
【図５】
2010216094.tif 000007
【図６】
2010216094.tif 000008
【図７】
2010216094.tif 000009
【図８】
2010216094.tif 000010
【図９】
2010216094.tif 000011
【図１０】
2010216094.tif 000012
【図１１】
2010216094.tif 000013